(57)【特許請求の範囲】
【請求項１】
試験片の２箇所にそれぞれエッジを当接させた状態で当該試験片に取り付けられ、２つのエッジ間における試験片の伸びを計測するための伸び計において、
試験片の一面に当接するエッジと、そのエッジに対向するように当該エッジと共通の部材に取り付けられて試験片の他面に当接する把持部と、これらのエッジと把持部との間に把持力を生じさせるべく当該エッジと把持部とが接近する向きに弾性力を発生するバネと、そのバネの弾性力に抗してエッジと把持部とを離隔させるための一対のつまみ部とからなるエッジ装着機構の２組が、所定の距離を隔てて本体に装着されているとともに、上記２組のエッジ装着機構の各つまみ部が、片手で操作できるようにそれぞれの先端部が接近していることを特徴とする伸び計。
【発明の詳細な説明】
【０００１】
【発明の属する技術分野】
本発明は、材料試験機により試験片の引張試験等を行う際に、試験片に装着してその伸びを計測するための伸び計に関する。
【０００２】
【従来の技術】
引張試験等の材料試験時に、試験片に装着してその伸びを計測するための伸び計においては、一般に、試験片の表面に、引張方向に所定の距離（標点間距離）を隔てて２つのエッジを当接させ、その２つのエッジの相対的な変位から、試験片の伸びを計測する。
【０００３】
図５に従来の伸び計の構成例をそれぞれ模式的な平面図（Ａ）および正面図（Ｂ）で示す。伸び計本体５１から同一方向に伸びる２つのアーム部５２ａ，５２ｂの先端に、それぞれエッジ５３ａ，５３ｂが取り付けられ、各エッジ５３ａ，５３ｂにはそれぞれの両側に係止部５４ａ，５４ｂが一体に形成されている。
【０００４】
一方、これとは別体に、各エッジ５３ａ，５３ｂにそれぞれ対応する把持具５５ａ，５５ｂが用意される。把持具５５ａ，５５ｂは、平面視でコ字形のフレーム５６ａ，５６ｂの中央部に押圧部材５７ａ，５７ｂを可動に支持するとともに、その押圧部材５７ａ，５７ｂを圧縮コイルバネ５８ａ，５８ｂにより図５（Ａ）において矢印で示す向きに付勢した構造を持ち、フレーム５６ａ，５６ｂの両側先端部にはフック５９ａ，５９ｂが形成されている。
【０００５】
以上の伸び計を試験片ＴＰに装着するには、各エッジ５３ａ，５３ｂのそれぞれについて、試験片ＴＰを介して把持具５５ａ，５５ｂを位置させ、圧縮コイルバネ５８ａ，５８ｂの弾性力に抗してフック５９ａ，５９ｂを係止部５４ａ，５４ｂに引っ掛ける。これにより、圧縮コイルバネ５８ａ，５８ｂの弾性力でエッジ５３ａ，５３ｂとこれらに対向する押圧部材５７ａ，５７ｂが試験片ＴＰの表裏両面に押し付けられた状態となり、試験片ＴＰに対して伸び計が取り付けられる。
【０００６】
【発明が解決しようとする課題】
ところで、以上のような従来の伸び計によると、試験片ＴＰに対して取り付けるためには、片手で伸び計本体５１を支え、もう一方の手で試験片ＴＰを挟むように２つの把持具５５ａ，５５ｂのフック５９ａ，５９ｂを１つずつ上下の係止部５４ａ，５４ｂに取り付ける必要があり、その取り付け作業は容易ではなく、時間がかかるという問題がある。また、引張試験においては、一般に、試験片ＴＰの破断直前に伸び計を取り外す必要があるが、この取り外しに際しても同様に時間がかかってしまう。
【０００７】
本発明はこのような実情に鑑みてなされたもので、試験片に対してワンタッチで簡単に取り付けることのできる伸び計の提供を目的としている。
【０００８】
【課題を解決するための手段】
上記の目的を達成するため、本発明の伸び計は、試験片の２箇所にそれぞれエッジを当接させた状態で当該試験片に取り付けられ、２つのエッジ間における試験片の伸びを計測するための伸び計において、試験片の一面に当接するエッジと、そのエッジに対向するように当該エッジと共通の部材に取り付けられて試験片の他面に当接する把持部と、これらのエッジと把持部との間に把持力を生じさせるべく当該エッジと把持部とが接近する向きに弾性力を発生するバネと、そのバネの弾性力に抗してエッジと把持部とを離隔させるための一対のつまみ部とからなるエッジメカニズムの２組が、所定の距離を隔てて本体に装着されているとともに、上記２組のエッジメカニズムの各つまみ部が、片手で操作できるようにそれぞれの先端部が接近していることによって特徴づけられる。
【０００９】
本発明は、エッジと把持部を共通の部材取り付けたエッジ装着機構を２組設け、その各エッジ装置機構の手動による操作部であるつまみを、片手で操作できる距離にまで接近させることによって、所期の目的を達成しようとするものである。
【００１０】
すなわち、本発明においては、エッジと把持部を従来のように別体とせずに共通の部材に取り付け、把持力を発生するバネとともにエッジ装着機構を構成し、その２組のエッジ装着機構においてエッジと把持部とをバネの弾性力に抗して離隔させる操作部であるつまみの先端部を、片手で操作できるように先端部を接近させており、この構成の採用により、２つのエッジとそれぞれに対向する把持部を片手で操作することが可能となり、試験片に対する装着が従来に比して大幅に容易化される。
【００１１】
【発明の実施の形態】
以下、図面を参照しつつ本発明の実施の形態について説明する。
図１は本発明の実施の形態の正面図で、図２はその平面図であって、いずれも試験片ＴＰに取り付けた状態で示す図である。また、図３には一方のエッジ装着機構３ａの分解斜視図をアーム２ａの要部とともに示す。また、図４には一方のエッジ装着機構３ａの移動側フレーム６ａの図３におけるＡ矢視図を示す。
【００１２】
伸び計本体１には、その内部の変位感応部に基端部がそれぞれ連結された２本のアーム２ａ，２ｂが突出して設けられており、この各アーム２ａ，２ｂにそれぞれエッジ装着機構３ａ，３ｂが取り付けられている。変位感応部は、アーム２ａ，２ｂを傾斜可能に取り付け、その広がり角度に感応するものや、あるいはアーム２ａ，２ｂが接近・離隔するように取り付け、そのスライド量に感応するもののいずれであってもよい。
【００１３】
エッジ装着機構３ａ，３ｂは、アーム２ａ，２ｂに固定されるエッジ４ａ，４ｂと、同じくアーム２ａ，２ｂに固定される固定側フレーム５ａ，５ｂと、その固定側フレーム５ａ，５ｂにヒンジピン７ａ，７ｂを介して回動自在に支持された移動側フレーム６ａ，６ｂと、ヒンジピン７ａ，７ｂに支持されたトーションバネ（つる巻きバネ）８ａ，８ｂによって構成されている。
【００１４】
固定側フレーム５ａ，５ｂにはアーム２ａ，２ｂの長手方向に沿った長孔Ｈが形成されており、この長孔Ｈをアーム２ａ，２ｂに突出形成されている雄ねじＳ（図３参照）に嵌め込み、試験片ＴＰの厚みに応じた位置にアーム２ａ，２ｂの長手方向に位置決めした状態で、ナットＮを雄ねじＳにねじ込むことによってアーム２ａ，２ｂに固定される。
【００１５】
固定側フレーム５ａ，５ｂおよび移動側フレーム６ａ，６ｂには、それぞれ手動操作用のつまみ９１ａ，９１ｂ，および９２ａ，９２ｂが一体に形成されており、これらの各つまみ９１ａ，９１ｂおよび９２ａ，９２ｂは、それぞれ、相手側のフレーム５ｂ，５ａないしは６ｂ，６ａに向けて伸び、その先端が互いに接近して、全てのつまみ９１ａ，９１ｂおよび９２ａ，９２が片手の中に入るようになっている。
【００１６】
トーションバネ８ａ，８ｂは、コイル部８１ａ，８１ｂの両端から横方向に突出した２つの突出部８２ａと８３ａ，８２ｂと８３ｂを備えた形状を有し、コイル部８１ａ，８１ｂがそれぞれヒンジピン７ａ，７ｂに差し込まれることによって支持されている。各トーションバネ８ａ，８ｂの一方の突出部８２ａ，８２ｂは、エッジ４ａ，４ｂに対向する位置にまで伸びて把持部を形成し、他方の突出部７８ａ，８３ｂは固定側フレーム５ａ，５ｂに引っ掛けられている。トーションバネ８ａ，８ｂの弾性力は、把持部を形成する突出部８２ａ，８２ｂが図２において矢印Ｆで示される向き、つまりエッジ４ａ，４ｂに接近する向きに発揮するようになっている。従って、把持部形成する突出部８２ａ，８２ｂは常にエッジ４ａ，４ｂ側に付勢された状態となる。
【００１７】
把持部を形成する突出部８２ａ，８２ｂは、移動側フレーム６ａ，６ｂに形成されている溝Ｇに嵌まり込んでいる。従って、移動側フレーム６ａ，６ｂのつまみ９２ａ，９２ｂをヒンジピン７ａ，７ｂを中心として固定側フレーム５ａ，５ｂのつまみ９１ａ，９１ｂ側に回動させると、把持部を形成するトーションバネ８の一方の突出部８２ａ，８２ｂが当該トーションバネ８ａ，８ｂの弾性力に抗して図２において矢印Ｒで示される向き、つまりエッジ４ａ，４ｂから遠ざかる向きに移動する。
【００１８】
以上の本発明の実施の形態を試験片ＴＰに装着するには、上記のように移動側フレーム６ａ，６ｂのつまみ９２ａ，９２ｂを人手により固定側フレーム５ａ，５ｂのつまみ９１ａ，９１ｂ側に回動させることによって、把持部を形成するトーションバネ８ａ，８ｂの一方の突出部８２ａ，８２ｂをエッジ４ａ，４ｂから遠ざけ、その状態でエッジ４ａ，４ｂと突出部８２ａ，８２ｂの間に試験片ＴＰを挟み込んだ後、手を離すことによってトーションバネ８ａ，８ｂの弾性力により試験片ＴＰに取り付けられた状態となる。また、試験片ＴＰに装着されているいる本発明の実施の形態を取り外すには、上記と同様にして移動側のフレーム６ａ，６ｂのつまみ９２ａ，９２ｂを人手により固定側フレーム５ａ，５ｂのつまみ９１ａ，９１ｂ側に回動させることによって、把持部を形成するトーションバネ８ａ，８ｂの一方の突出部８２ａ，８２ｂをエッジ４ａ，４ｂから遠ざけて取り除けばよい。
【００１９】
以上の取り付け・取り外し作業において、上側のエッジ装着機構３ａのつまみ９１ａ，９２ａの先端部は、下側のエッジ装着機構３ｂのつまみ９１ｂ，９２ｂに接近して、全てのつまみが片手の中に入るようになっているので、上下のエッジ装着機構３ａ，３ｂの合計４つのつまみ９１ａ，９２ａ，９１ｂ，９２ｂを片手で操作することが可能となる。
【００２０】
なお、本発明の伸び計の細部構造については、以上の実施の形態で述べたものに限られることなく、同等の機能を他の機構によって代替してもよく、要は、エッジと把持部が別体でなく共通の部材に取り付けられ、しかも２つのエッジの装着機構を操作するためのつまみが、片手で操作できる位置に接近していればよい。
【００２１】
【発明の効果】
以上のように、本発明によれば、エッジとそれに対向してバネにより付勢された把持部とが共通の部材に取り付けられてなるエッジ装着機構を伸び計本体に取り付けるとともに、その２組のエッジ装着機構の操作部であるつまみを、片手で操作できる位置にまで互いに接近させているため、２つのエッジとそれぞれに対応する把持部とを片手で開閉操作することが可能となり、従来の伸び計に比して試験片に対する取り付け・取り外し作業の容易化と、所要時間の短縮化を同時に達成することができる。
【図面の簡単な説明】
【図１】本発明の実施の形態の正面図で、試験片に取り付けた状態で示す図である。
【図２】図１の平面図である。
【図３】本発明の実施の形態における一方のエッジ装着機構３ａをアーム２ａの要部とともに示す分解斜視図である。
【図４】本発明の実施の形態の一方のエッジ装着機構の移動側フレーム６ａの図３におけるＡ矢視図である。
【図５】従来の伸び径の構成例を示す模式的平面図（Ａ）および正面図（Ｂ）である。
【符号の説明】
１  伸び計本体
２ａ，２ｂ  アーム
３ａ，３ｂ  エッジ装着機構
４ａ，４ｂ  エッジ
５ａ，５ｂ  固定側フレーム
６ａ．６ｂ  移動側フレーム
７ａ，７ｂ  ヒンジピン
８ａ，８ｂ  トーションバネ
８１ａ，８１ｂ  コイル部
８２ａ，８２ｂ  突出部（把持部）
９１ａ，９１ｂ，９２ａ，９２ｂ  つまみ
ＴＰ  試験片
【図１】
0003775292.tif 000002
【図２】
0003775292.tif 000003
【図３】
0003775292.tif 000004
【図４】
0003775292.tif 000005
【図５】
0003775292.tif 000006